(57)【特許請求の範囲】
【請求項１】
液晶表示装置であって、
情報を表示するための有効表示領域及び前記有効表示領域と連続した光拡散領域を有し、一対の基板間に高分子分散型液晶が挟持された液晶パネルと、
前記一対の基板間に、前記有効表示領域及び前記光拡散領域が得られるように前記高分子分散型液晶を封止するために、前記高分子分散型液晶の周囲に配置されたシール部材と、
前記光拡散領域内に封止された前記高分子分散型液晶を介して、前記液晶パネルの側面から光を照射するための光源と、を有し、
前記光拡散領域は、前記シール材の形状によって、前記光源側から前記有効表示領域側へ向かって徐々に広がる形状を有している、
ことを特徴とする液晶表示装置。
【請求項２】
前記光拡散領域の形状が前記光源側を頂点とし前記有効表示領域側を底辺とするかまぼこ型の形状を有している、請求項１に記載の液晶表示装置。
【請求項３】
前記光拡散領域の形状が前記光源側を頂辺とし前記有効表示領域側を底辺とする略台形の形状を有している、請求項１に記載の液晶表示装置。
【請求項４】
前記光源は、複数のＬＥＤを含み、
前記液晶パネルは、前記複数のＬＥＤのそれぞれに対応した複数の光拡散領域を有する、請求項１〜３の何れか一項に記載の液晶表示装置。
【請求項５】
前記複数のＬＥＤは、前記有効表示領域の一側面に対応した位置に配置されている、請求項４に記載の液晶表示装置。
【請求項６】
前記複数のＬＥＤは、前記有効表示領域の複数の側面に対応した位置にそれぞれ配置されている、請求項５に記載の液晶表示装置。
【発明の詳細な説明】
【技術分野】
【０００１】
本発明は、液晶表示装置、特に輝度ムラの無い有効表示領域を有する液晶表示装置に関する。
【背景技術】
【０００２】
図１は、従来の液晶表示装置１の一例を示す図である。
【０００３】
図１に示す液晶表示装置１は、液晶パネル２と点光源９から構成されており、液晶パネル２では、液晶がシール部材３及び封止部４によって基板間に挟持されている。また、点光源９から照射された光は、矢印５のように液晶パネル２内へ拡散していく。しかしながら、図中の領域６及び８では、充分に光が拡散せず輝度が低下し、逆に図中の領域７では、光源から近いことから輝度が増加して目玉現象が発生する場合がある。このように、従来の液晶表示装置１では、全体として輝度ムラが発生するという不具合があった。
【０００４】
そこで、光源側のシール部材に光拡散粒子を混合し、光拡散粒子によって光を拡散させて輝度ムラを解消しようという試みがなされている（例えば、特許文献１参照）。しかしながら、光拡散粒子を光源側のシール部材に混合させると、光源側のシール部材での光拡散は発生するが、その為液晶パネル全体に光が行き渡らず図１の領域６及び８の輝度の低下は防止できるが逆に光源から離れた箇所で輝度の低下が発生してしまう。逆に、少ない光拡散粒子を光源側のシール部材に混合させたのでは、充分な光の拡散が発生せず、図１の領域６及び８の輝度の低下を防止することができないという不具合があった。
【０００５】
また、光源と液晶との間に所定の間隔を設け、その間のガラス基板に曇りガラス状に加工した粗ずり面を形成し、粗ずり面を利用して光を拡散させて輝度ムラを解消しようという試みがなされている（例えば、特許文献２参照）。しかしながら、基板の所定部分のみに加工を施すことは難しく、しかもコストがアップするという不具合があった。
【０００６】
さらに、液晶と有効表示領域との間に間隔を設け、その間に高分子分散型液晶を配置し又は高分子分散型液晶による散乱用セグメントを設けて、液晶自身又は散乱用セグメントによって光を拡散させて輝度ムラを解消しようという試みがなされている（例えば、特許文献２参照）。しかしながら、高分子分散型液晶による散乱用セグメントのために別個に液晶を封止しなければならないこと、及び／又は単純に液晶と有効表示領域との間に設けられた高分子分散型液晶では光の有効利用がしにくいという不具合があった。
【０００７】
【特許文献１】特開平１１−１８３８８８号公報（図１）
【特許文献２】特開２０００−１６２６７２号公報（図４、５及び６）
【発明の開示】
【発明が解決しようとする課題】
【０００８】
そこで、本発明は、高分子分散型液晶による光拡散領域によって、光源から照射された光を適切に拡散させて、輝度ムラを解消することを可能とする液晶表示装置を提供することを目的とする。
【課題を解決するための手段】
【０００９】
上記課題を解決するために、本発明に係る液晶表示装置は、情報を表示するための有効表示領域及び有効表示領域と連続した光拡散領域を有し且つ一対の基板間に高分子分散型液晶が挟持された液晶パネルと、一対の基板間に有効表示領域及び光拡散領域が得られるように高分子分散型液晶を封止するために高分子分散型液晶の周囲に配置されたシール部材と、光拡散領域内に封止された高分子分散型液晶を介して液晶パネルの側面から光を照射するための光源を有し、光拡散領域の形状が光源の発光特性に基づいて定められていることを特徴とする。
【００１０】
また、上記課題を解決するために、本発明に係る液晶表示装置は、情報を表示するための有効表示領域及び有効表示領域と連続した光拡散領域を有し且つ一対の基板間に高分子分散型液晶が挟持された液晶パネルと、一対の基板間に有効表示領域及び光拡散領域が得られるように高分子分散型液晶を封止するために高分子分散型液晶の周囲に配置されたシール部材と、光拡散領域内に封止された高分子分散型液晶を介して液晶パネルの側面から光を照射するための光源を有し、光拡散領域の形状が前記光源側を頂点とし有効表示領域側を底辺とするかまぼこ型の形状を有していることを特徴とする。
【００１１】
さらに、上記課題を解決するために、本発明に係る液晶表示装置は、情報を表示するための有効表示領域及び有効表示領域と連続した光拡散領域を有し且つ一対の基板間に高分子分散型液晶が挟持された液晶パネルと、一対の基板間に有効表示領域及び光拡散領域が得られるように高分子分散型液晶を封止するために高分子分散型液晶の周囲に配置されたシール部材と、光拡散領域内に封止された高分子分散型液晶を介して液晶パネルの側面から光を照射するための光源を有し、光拡散領域の形状が光源側を頂辺とし有効表示領域側を底辺とする略台形の形状を有していることを特徴とする。
【００１２】
さらに、上記課題を解決するために、本発明に係る液晶表示装置は、情報を表示するための有効表示領域及び有効表示領域と連続した光拡散領域を有し且つ一対の基板間に高分子分散型液晶が挟持された液晶パネルと、一対の基板間に有効表示領域及び光拡散領域が得られるように高分子分散型液晶を封止するために高分子分散型液晶の周囲に配置されたシール部材と、光拡散領域内に封止された高分子分散型液晶を介して液晶パネルの側面から光を照射するための光源を有し、光拡散領域の形状が略楕円形の形状を有していることを特徴とする。
【００１３】
さらに、上記課題を解決するために、本発明に係る液晶表示装置は、情報を表示するための有効表示領域及び有効表示領域と連続した光拡散領域を有し且つ一対の基板間に高分子分散型液晶が挟持された液晶パネルと、一対の基板間に有効表示領域及び光拡散領域が得られるように高分子分散型液晶を封止するために高分子分散型液晶の周囲に配置されたシール部材と、光拡散領域内に封止された高分子分散型液晶を介して液晶パネルの側面から光を照射するための光源を有し、光拡散領域の形状が略長方形の形状を有していることを特徴とする。
【発明の効果】
【００１４】
本発明に係る液晶表示装置では、所定の形状を有する高分子分散型液晶による光拡散領域によって、光源から照射された光を適切に拡散させているので、安価に輝度ムラを解消することが可能となった。さらに、本発明に係る液晶表示装置では、光拡散領域の形状は、光源の発光強度分布等の発光特性に合わせて変更可能であるので、確実に輝度ムラを解消することが可能となった。
【発明を実施するための最良の形態】
【００１５】
以下図面を参照して、本発明に係る液晶表示装置について説明する。
【００１６】
図２は、本発明に係る液晶表示装置１０の概略構成を示す図である。
【００１７】
図２（ａ）は液晶表示装置１０の正面図であり、図２（ｂ）は図２（ａ）におけるＡＡ´断面図である。図２に示す様に、液晶表示装置１０は、液晶パネル４０及び液晶パネル４０の側面に配置された点光源として機能するＷ（白）色ＬＥＤ３０等から構成されている。
【００１８】
液晶パネル４０では、一対のガラス基板２１及び２２をシール部材１００によって接合し、シール部材１００の開口部１０１から液晶２３を一対のガラス基板間に挟持されるように注入して、封止材２７によって封止している。また、液晶パネル４０の視認側（図２（ｂ）の図中上側）にはプリズムシート２４が配置され、逆側には反射板２５が配置されている。液晶パネル４０は、アクティブ駆動されるＴＦＴタイプの液晶表示部であり、有効表示領域２６内に２．４インチ、ＱＶＧＡサイズ（３５０×２４０画素）の表示を行うことができる。また、液晶パネル４０の一対のガラス基板２１及び２２の内側には透明導電体による複数の信号電極と複数の走査電極がパターン形成されており、信号電極と走査電極が重なり合う部分が表示画素となる。
【００１９】
ここでは、液晶２３として、ヘイズ８８％の高分子分散型液晶を用いたが、ＰＮＬＣ液晶を用いることもできる。高分子分散型液晶は、電圧を印加しない状態では、液晶分子がランダムに配置されているので、白色光を入射すると入射した光が散乱して外部からは白濁した状態として観察される。また、高分子分散型液晶は、電圧を印加した状態では、液晶分子が電界方向に配列するため、入射光を透過して外部からは透明な状態として観察される。
【００２０】
Ｗ色ＬＥＤ３０から照射された光は、液晶パネル４０の側面から入射する。Ｗ色ＬＥＤ３０から液晶パネル４０に入射した光は、プリズムシート２４及び反射板２５等で反射を繰り返しながら、液晶パネル４０の有効表示領域２６全体を照射することができるように構成されている。また、シール部材１００の側面から光を入射することができるので、液晶パネル４０の裏側にバックライトを配置する必要がなくなり、照明可能な薄型の液晶表示装置を実現することが可能となった。
【００２１】
シール部材１００は、一対のガラス基板２１及び２２のギャップを調整するためのスペーサ、Ｗ色ＬＥＤ３０からの光を散乱させるためのフィラー及び接着剤等から構成される。スペーサ及びフィラーは、シリカ（屈折率１．３５〜１．４５）又はプラ（屈折率１．４〜２．０）の物性のものを利用することができる。これによって、液晶２３は、所望の厚さに保持される。ＰＮＬＣでは、１０〜３０μｍの厚さが好ましい。
【００２２】
また、シール部材１００の四方の辺はほぼ同じ厚さ（例えば、約０．８ｍｍ）に形成した。しかしながら、シール部材１００のＷ色ＬＥＤ３０側は、Ｗ色ＬＥＤ３０に最も近い部分から徐々に２次曲線的に広がって、有効表示領域２６へ連続するような形状を有している光拡散領域１２０の外形に沿って湾曲されている。言い換えれば、光拡散領域１２０は、Ｗ色ＬＥＤ３０側を頂点とし、有効領域２６側を底辺とした、かまぼこ型の形状を有している。
【００２３】
次に、図２に示す液晶パネル４０の概略製造方法について説明する。
【００２４】
最初に、透明導電体による複数の信号電極と複数の走査電極がパターン形成された一対のガラス基板２１及び２２の一方の内側に、シール部材１００をスクリーン印刷により形成し、一対のガラス基板２１及び２２の他方の内側全体にスペーサを散布する。次に、一対のガラス基板を重ね合わせて接合させる。次に、シール部材１００の開口部１０２から高分子分散型液晶２３を注入し、封止剤２７によって封止する。次に、ガラス基板２２側からＵＶ光を照射して高分子分散型液晶材料中のモノマーを架橋させポリマーネットワークを作成する。次に、液晶パネル４０のガラス基板２１の外側にプリズムシート２４を配置する。次に、ガラス基板２２の外側に反射板２５を張り合わせる。
【００２５】
Ｗ色ＬＥＤ３０から液晶パネル４０に入射した光は、シール部材１００のＷ色ＬＥＤ側に設けられた高分子分散型液晶による光拡散領域１２０によって、充分に広く拡散するので、図１の領域６及び８に相当する部分での輝度の低下を生じることはなく且つ図１の領域７に相当する部分での過度な輝度の集中も発生せず、有効表示領域２６全体として輝度ムラが生じることがない。したがって、本実施形態では、Ｗ色ＬＥＤ３０から出射された光を効率良く利用することが可能となる。
【００２６】
このように、本実施形態では、有効表示領域２６に連続して、電圧を印加しない状態の高分子分散型液晶によって光散乱領域１２０を設け、Ｗ色ＬＥＤ３０から入射した光を光散乱領域１２０によって充分に散乱した後に、有効表示領域２６に入射することによって、有効表示領域２６における輝度ムラを防止している。なお、本実施形態では、シール部材１００にフィラーを含み、シール部材１００自体も光を拡散する機能を有するように構成したが、シール部材１００自体は透明であって光拡散機能を有しなくても良い。
【００２７】
図３は、本発明に係る他の液晶表示装置１１の概略構成を示す図である。
【００２８】
図３に示す液晶表示装置１１と図２に示す液晶表示装置１０との差異は、液晶パネル４１の光拡散領域１２１の形状が異なっている点である。本実施形態においては、図２と同様の構成には同じ番号を付した。
【００２９】
本実施形態におけるシール部材１０２は、図２に示す液晶表示装置１０と同じ材質によって構成し、四方の辺はほぼ同じ厚さ（例えば、約０．８ｍｍ）に形成した。しかしながら、シール部材１０２のＷ色ＬＥＤ３０側は、Ｗ色ＬＥＤ３０に最も近い部分から徐々に双曲線的に広がって、有効表示領域２６へ連続するような形状を有している光拡散領域１２１の外形に沿って湾曲されている。言い換えれば、光拡散領域１２１は、Ｗ色ＬＥＤ３０側を頂辺とし、有効領域２６側を底辺とし、左右が凹弧状の略台形の形状（富士山型の形状）を有している。
【００３０】
Ｗ色ＬＥＤ３０から液晶パネル４１に入射した光は、シール部材１０２の内側のＷ色ＬＥＤ側に設けられた高分子分散型液晶による光拡散領域１２１によって、充分に広く拡散するので、図１の領域６及び８に相当する部分での輝度の低下を生じることはなく且つ図１の領域７に相当する部分での過度な輝度の集中も発生せず、有効表示領域２６全体として輝度ムラが生じることがない。したがって、本実施形態では、Ｗ色ＬＥＤ３０から出射された光を効率良く利用することが可能となる。
【００３１】
このように、本実施形態では、有効表示領域２６に連続して、電圧を印加しない状態の高分子分散型液晶２３によって光散乱領域１２１を設け、Ｗ色ＬＥＤ３０から入射した光を光散乱領域１２１によって充分に散乱した後に、有効表示領域２６に入射することによって、有効表示領域２６における輝度ムラを防止している。
【００３２】
図４は、Ｗ色ＬＥＤの発光強度分布の一例を示す図である。
【００３３】
図４において、ｙ軸は光量を示し、ｘ軸が光源からの角度を示している。なお、点ＰはＬＥＤの真上（０°）を示し、曲線Ｌ１は光量分布が狭いタイプのＷ色ＬＥＤの光量分布を示し、曲線Ｌ２は光量分布がブロードなタイプのＷ色ＬＥＤの光量分布を示している。
【００３４】
使用するＷ色ＬＥＤの光量分布が曲線Ｌ１に示すような場合には、シール部材１００のＷ色ＬＥＤ３０側の光散乱領域が図３に示すような略台形型を有することが好ましく、使用するＷ色ＬＥＤの光量分布が曲線Ｌ２に示すような場合には、シール部材１００のＷ色ＬＥＤ３０側の光散乱領域が図２（ａ）に示すようなかまぼこ型を有することが好ましい。これは、光量分布がナローな曲線Ｌ１のタイプの光源では、中心からの角度が大きいところでは光量がとぼしくなるため、中心からの角度が大きいところの光散乱領域の薄くなる略台形型が好ましいからである。また、光量分布がブロードな曲線Ｌ２のタイプの光源では、中心からの角度が大きいところでも光量が多いため、中心からの角度が大きいところの光散乱領域の厚くなるかまぼこ型が好ましいからである。このように、本発明に係る液晶表示装置では、輝度ムラをなくすために、ＬＥＤの発光特性に応じて、最適なシール部材の形状を選択することが可能となった。
【００３５】
図５は、本発明に係る他の液晶表示装置１２の概略構成を示す図である。
【００３６】
図５に示す液晶表示装置１２と図２に示す液晶表示装置１０との差異は、２つのＬＥＤを利用する点と、液晶パネル４２の光拡散領域１２２の形状が異なっている点である。Ｗ色ＬＥＤ３１は前述したＷ色ＬＥＤ３０と同じＬＥＤであって、２つのＬＥＤを利用するのは、有効表示領域２６においてより高い輝度を得るためである。本実施形態においては、図２と同様の構成には同じ番号を付した。
【００３７】
本実施形態におけるシール部材１０３は、図２に示す液晶表示装置１０と同じ材質によって構成し、四方の辺はほぼ同じ厚さ（例えば、約０．８ｍｍ）に形成した。しかしながら、シール部材１０３のＷ色ＬＥＤ３０側は、Ｗ色ＬＥＤ３０及び３１に最も近い部分から、それぞれが徐々に２次曲線的に広がって、有効表示領域２６へ連続するような形状を有している光拡散領域１２２の外形に沿って湾曲されている。言い換えれば、光拡散領域１２２は、Ｗ色ＬＥＤ３０及び３１側を頂点とし、有効領域２６側を底辺とした、２段のかまぼこ型の形状を有している。
【００３８】
Ｗ色ＬＥＤ３０及び３１のそれぞれから液晶パネル４２に入射した光は、シール部材１０３の内側のＷ色ＬＥＤ側に設けられた高分子分散型液晶による光拡散領域１２２によって、充分に広く拡散するので、図１の領域６及び８に相当する部分での輝度の低下を生じることはなく且つ図１の領域７に相当する部分での過度な輝度の集中も発生せず、有効表示領域２６全体として輝度ムラが生じることがない。したがって、本実施形態では、Ｗ色ＬＥＤ３０及び３１から出射された光を効率良く利用することが可能となる。
【００３９】
このように、本実施形態では、有効表示領域２６に連続して、電圧を印加しない状態の高分子分散型液晶によって光散乱領域１２２を設け、Ｗ色ＬＥＤ３０から入射した光を光散乱領域１２２によって充分に散乱した後に、有効表示領域２６に入射することによって、有効表示領域２６における輝度ムラを防止している。
【００４０】
図６は、本発明に係る他の液晶表示装置１３の概略構成を示す図である。
【００４１】
図６に示す液晶表示装置１３と図２に示す液晶表示装置１０との差異は、２つのＬＥＤを利用する点と、液晶パネル４３の光拡散領域１２３の形状が異なっている点である。Ｗ色ＬＥＤ３１は前述したＷ色ＬＥＤ３０と同じＬＥＤであって、２つのＬＥＤを利用するのは、有効表示領域２６においてより高い輝度を得るためである。本実施形態においては、図２と同様の構成には同じ番号を付した。
【００４２】
本実施形態におけるシール部材１０４は、図２に示す液晶表示装置１０と同じ材質によって構成し、四方の辺はほぼ同じ厚さ（例えば、約０．８ｍｍ）に形成した。しかしながら、シール部材１０４のＷ色ＬＥＤ３０側は、Ｗ色ＬＥＤ３０及び３１に最も近い部分から、それぞれが徐々に双曲線的に広がって、有効表示領域２６へ連続するような形状を有している光拡散領域１２３の外形に沿って湾曲されている。言い換えれば、光拡散領域１２３は、Ｗ色ＬＥＤ３０及び３１側を頂辺とし、有効領域２６側を底辺とし、左右が凹弧状の２段の略台形の形状（富士山型の形状）を有している。
【００４３】
Ｗ色ＬＥＤ３０及び３１のそれぞれから液晶パネル４３に入射した光は、シール部材１０４の内側のＷ色ＬＥＤ側に設けられた高分子分散型液晶による光拡散領域１２３によって、充分に広く拡散するので、図１の領域６及び８に相当する部分での輝度の低下を生じることはなく且つ図１の領域７に相当する部分での過度な輝度の集中も発生せず、有効表示領域２６全体として輝度ムラが生じることがない。したがって、本実施形態では、Ｗ色ＬＥＤ３０及び３１から出射された光を効率良く利用することが可能となる。
【００４４】
このように、本実施形態では、有効表示領域２６に連続して、電圧を印加しない状態の高分子分散型液晶によって光散乱領域１２３を設け、Ｗ色ＬＥＤ３０及び３１から入射した光を光散乱領域１２３によって充分に散乱した後に、有効表示領域２６に入射することによって、有効表示領域２６における輝度ムラを防止している。
【００４５】
図７は、本発明に係る他の液晶表示装置１４の概略構成を示す図である。
【００４６】
図７に示す液晶表示装置１４と図２に示す液晶表示装置１０との差異は、２つのＬＥＤを利用する点と、液晶パネル４４に光拡散領域が左右に２つ設けられている点である。Ｗ色ＬＥＤ３１は前述したＷ色ＬＥＤ３０と同じＬＥＤであって、２つのＬＥＤを左右に配置して利用するのは、有効表示領域２６においてより高い輝度を得るためである。本実施形態においては、図２と同様の構成には同じ番号を付した。
【００４７】
本実施形態におけるシール部材１０５は、図２に示す液晶表示装置１０と同じ材質によって構成し、四方の辺はほぼ同じ厚さ（例えば、約０．８ｍｍ）に形成した。しかしながら、シール部材１０５のＷ色ＬＥＤ３０及び３１側は、それぞれＷ色ＬＥＤ３０及び３１に最も近い部分から、それぞれが徐々に２次曲線的に広がって、有効表示領域２６へ連続するような形状を有している光拡散領域１２４及び１２５の外形に沿って湾曲されている。言い換えれば、光拡散領域１２４及び１２５は、Ｗ色ＬＥＤ３０及び３１側を頂点とし、有効領域２６側を底辺とした、かまぼこ型の形状を有している。
【００４８】
Ｗ色ＬＥＤ３０及び３１のそれぞれから液晶パネル４４に入射した光は、シール部材１０５の内側のＷ色ＬＥＤ３０及び３１側に設けられた高分子分散型液晶による光拡散領域１２４及び１２５によって、それぞれ充分に広く拡散するので、図１の領域６及び８に相当する部分での輝度の低下を生じることはなく且つ図１の領域７に相当する部分での過度な輝度の集中も発生せず、有効表示領域２６全体として輝度ムラが生じることがない。さらに、有効表示領域２６の左右から光が入射するので、有効表示領域２６においてＷ色ＬＥＤから離れた奥側で輝度が低下することも無い。したがって、本実施形態では、Ｗ色ＬＥＤ３０及び３１から出射された光を効率良く利用することが可能となる。
【００４９】
このように、本実施形態では、有効表示領域２６に連続して、左右に電圧を印加しない状態の高分子分散型液晶によって光散乱領域１２４及び１２５を設け、Ｗ色ＬＥＤ３０及び３１から入射した光を光散乱領域１２４及び１２５によって充分に散乱した後に、有効表示領域２６に入射することによって、有効表示領域２６における輝度ムラを防止している。
【００５０】
図８は、本発明に係る他の液晶表示装置１５の概略構成を示す図である。
【００５１】
図８に示す液晶表示装置１５と図２に示す液晶表示装置１０との差異は、２つのＬＥＤを利用する点と、液晶パネル４５に光拡散領域が左右に２つ設けられている点である。Ｗ色ＬＥＤ３１は前述したＷ色ＬＥＤ３０と同じＬＥＤであって、２つのＬＥＤを左右に配置して利用するのは、有効表示領域２６においてより高い輝度を得るためである。本実施形態においては、図２と同様の構成には同じ番号を付した。
【００５２】
本実施形態におけるシール部材１０６は、図２に示す液晶表示装置１０と同じ材質によって構成し、四方の辺はほぼ同じ厚さ（例えば、約０．８ｍｍ）に形成した。しかしながら、シール部材１０６のＷ色ＬＥＤ３０及び３１側は、それぞれＷ色ＬＥＤ３０及び３１に最も近い部分から、それぞれが徐々に双曲線的に広がって、有効表示領域２６へ連続するような形状を有している光拡散領域１２６及び１２７の外形に沿って湾曲されている。言い換えれば、光拡散領域１２６及び１２７は、Ｗ色ＬＥＤ３０及び３１側を頂辺とし、有効領域２６側を底辺とし、左右が凹弧状の略台形の形状（富士山型の形状）を有している。
【００５３】
Ｗ色ＬＥＤ３０及び３１のそれぞれから液晶パネル４５に入射した光は、シール部材１０６の内側のＷ色ＬＥＤ３０及び３１側に設けられた高分子分散型液晶による光拡散領域１２６及び１２７によって、それぞれ充分に広く拡散するので、図１の領域６及び８に相当する部分での輝度の低下を生じることはなく且つ図１の領域７に相当する部分での過度な輝度の集中も発生せず、有効表示領域２６全体として輝度ムラが生じることがない。さらに、有効表示領域２６の左右から光が入射するので、有効表示領域２６においてＷ色ＬＥＤから離れた奥側で輝度が低下することも無い。したがって、本実施形態では、Ｗ色ＬＥＤ３０及び３１から出射された光を効率良く利用することが可能となる。
【００５４】
このように、本実施形態では、有効表示領域２６に連続して、電圧を印加しない状態の高分子分散型液晶によって光散乱領域１２６及び１２７を設け、Ｗ色ＬＥＤ３０及び３１から入射した光を光散乱領域１２６及び１２７によって充分に散乱した後に、有効表示領域２６に入射することによって、有効表示領域２６における輝度ムラを防止している。
【００５５】
図９は、本発明に係る他の液晶表示装置１６の概略構成を示す図である。
【００５６】
図９に示す液晶表示装置１６と図２に示す液晶表示装置１０との差異は、液晶パネル４６に設けられた光拡散領域１２８の形状が異なっている点である。本実施形態においては、図２と同様の構成には同じ番号を付した。
【００５７】
本実施形態におけるシール部材１０７は、図２に示す液晶表示装置１０と同じ材質によって構成し、四方の辺はほぼ同じ厚さ（例えば、約０．８ｍｍ）に形成した。しかしながら、シール部材１０７のＷ色ＬＥＤ３０側は、略楕円形の形状に構成した。
【００５８】
Ｗ色ＬＥＤ３０から液晶パネル４６に入射した光は、シール部材１０７の内側のＷ色ＬＥＤ３０側に設けられた高分子分散型液晶２３による光拡散領域１２８によって、充分に広く拡散するので、図１の領域６及び８に相当する部分での輝度の低下を生じることはなく且つ図１の領域７に相当する部分での過度な輝度の集中も発生せず、有効表示領域２６全体として輝度ムラが生じることがない。したがって、本実施形態では、Ｗ色ＬＥＤ３０から出射された光を効率良く利用することが可能となる。
【００５９】
このように、本実施形態では、有効表示領域２６に連続して、電圧を印加しない状態の高分子分散型液晶によって光散乱領域１２８を設け、Ｗ色ＬＥＤ３０から入射した光を光散乱領域１２８によって充分に散乱した後に、有効表示領域２６に入射することによって、有効表示領域２６における輝度ムラを防止している。
【００６０】
図１０は、本発明に係る他の液晶表示装置１７の概略構成を示す図である。
【００６１】
図１０に示す液晶表示装置１７と図２に示す液晶表示装置１０との差異は、液晶パネル４７に設けられた光拡散領域１２９の形状が異なっている点である。本実施形態においては、図２と同様の構成には同じ番号を付した。
【００６２】
本実施形態におけるシール部材１０８は、図２に示す液晶表示装置１０と同じ材質によって構成し、四方の辺はほぼ同じ厚さ（例えば、約０．８ｍｍ）に形成した。しかしながら、シール部材１０８のＷ色ＬＥＤ３０側は、略長方形の形状に構成した。
【００６３】
Ｗ色ＬＥＤ３０から液晶パネル４７に入射した光は、シール部材１０８の内側のＷ色ＬＥＤ３０側に設けられた高分子分散型液晶２３による光拡散領域１２９によって、充分に広く拡散するので、図１の領域６及び８に相当する部分での輝度の低下を生じることはなく且つ図１の領域７に相当する部分での過度な輝度の集中も発生せず、有効表示領域２６全体として輝度ムラが生じることがない。したがって、本実施形態では、Ｗ色ＬＥＤ３０から出射された光を効率良く利用することが可能となる。
【００６４】
このように、本実施形態では、有効表示領域２６に連続して、電圧を印加しない状態の高分子分散型液晶２３によって光散乱領域１２９を設け、Ｗ色ＬＥＤ３０から入射した光を光散乱領域１２９によって充分に散乱した後に、有効表示領域２６に入射することによって、有効表示領域２６における輝度ムラを防止している。
【００６５】
図２、図３、図５〜図１０を用いて、光散乱領域１２０〜１２９について説明したが、光散乱領域の形状は一例であって、それらに限定されるものではない。したがって、利用するＷ色ＬＥＤ３０及び／又はＷ色ＬＥＤ３１の光量分布及び有効表示領域２６の形状、大きさ等に応じて、最適な形状を選択することができる。
【図面の簡単な説明】
【００６６】
【図１】従来の液晶表示装置の概略構成を示す図である。
【図２】本発明に係る液晶表示装置１０の概略構成を示す図である。
【図３】本発明に係る他の液晶表示装置１１の概略構成を示す図である。
【図４】ＬＥＤの光量分布の一例を示す図である。
【図５】本発明に係る他の液晶表示装置１２の概略構成を示す図である。
【図６】本発明に係る他の液晶表示装置１３の概略構成を示す図である。
【図７】本発明に係る他の液晶表示装置１４の概略構成を示す図である。
【図８】本発明に係る他の液晶表示装置１５の概略構成を示す図である。
【図９】本発明に係る他の液晶表示装置１６の概略構成を示す図である。
【図１０】本発明に係る他の液晶表示装置１７の概略構成を示す図である。
【符号の説明】
【００６７】
１０〜１７    液晶表示装置
２１、２２    一対のガラス基板
２３    高分子分散型液晶
２６    有効表示領域
３０、３１    Ｗ色ＬＥＤ
４０〜４７    液晶パネル
１００、１０２〜１０７    シール部材
１２０〜１２９    光拡散領域
【図１】
0005203579.tif 000002
【図２】
0005203579.tif 000003
【図３】
0005203579.tif 000004
【図４】
0005203579.tif 000005
【図５】
0005203579.tif 000006
【図６】
0005203579.tif 000007
【図７】
0005203579.tif 000008
【図８】
0005203579.tif 000009
【図９】
0005203579.tif 000010
【図１０】
0005203579.tif 000011